(57)【要約】【課題】圧迫感を生じさせず、居室部への採光を悪くしないように天井部に収納庫を設ける。【解決手段】集合住宅のバルコニー部２の天井部５居室側の下面に上下方向のガイド１１を取り付け、そのガイド１１に収納庫１０を昇降可能に設けるとともに、そのガイド１１と収納庫１０の間に、その収納庫１０が、前記天井部から所定の高さ位置で上下方向に動かないように固定される係止手段を設ける。天井部５居室寄りのデッドスペースを有効に活用して、収納庫１０を昇降可能に設けたので、必要なときに収納庫１０を下降させれば、屋内から楽な姿勢で収納、取出しが可能である。また、収納庫１０は、前記ガイド１１による昇降範囲に対して完全に上昇した状態、及び完全に下降した状態で固定できるものとし、その完全に下降した状態で収納庫１０が開扉して内部が開放されるので、収納庫１０内部に収納品を出し入れする際に、収納庫が安定して使いやすい。【選択図】  図１
2005027746.tif 000002
【特許請求の範囲】
【請求項１】
集合住宅のバルコニー部又は共用廊下の天井部５の下面に収納庫１０を取り付けた収納庫装置２０であって、前記天井部５に上下方向のガイドを取り付け、そのガイドによって前記収納庫１０を昇降可能に設けるとともに、そのガイドと収納庫１０の間に、前記天井部５から所定の高さ位置で上下方向に動かないように固定される係止手段を設けたことを特徴とする収納庫装置。
【請求項２】
前記収納庫１０は、前記ガイドによる昇降範囲に対して完全に上昇した状態、及び完全に下降した状態で固定できるものであり、その下降状態で開扉して内部に収納品を出し入れ可能であることを特徴とする請求項１に記載の収納庫装置。
【発明の詳細な説明】
【０００１】
【発明の属する技術分野】
この発明は、マンション等の集合住宅のバルコニー又は共用廊下に設置される収納庫に関するものである。
【０００２】
【従来の技術】
マンション等の集合住宅では、居室内での圧迫感をなくしその居住性を高める目的や、あるいは法令等の規制により、床面から天井までの高さを一定以上確保するように設計される。
【０００３】
例えば、一般的なＲＣ又はＳＲＣ構造のマンションでは、本発明の実施形態である図１に基づいて説明すると、各フロアの床面を構成するスラブ床板８が、それぞれのフロア位置で柱及び梁材４に固定されており、各階のフロアを構成する床面のスラブ床板８は、その下面が、階下のフロアの天井を成している（内装材を除く）。このスラブ厚さは、いずれの場所においても概ね同じ厚さを有するため、図１（ａ）の例に示すように、居室部３の天井高さ（床面から天井までの高さで、図１（ａ）に示す高さｈ１  ）とバルコニー部２の天井高さ（図１（ａ）の高さｈ３  ）とが、ほぼ同じ高さとなっていることが多い。
【０００４】
しかし、バルコニー部２は、屋内の居住空間である居室部３とは異なり、洗濯物を干す際などに使用するほかはその使用頻度が少なく、それほど居住性の良さが求められない。このため、一般的なマンションにおいて、居室なみの天井高さを有するバルコニー部２は、概ね、生活空間として必要とされる以上に天井が高いものとなっているのが現状である。
【０００５】
このバルコニー部２に必要な最小限の天井高さは、少なくとも居室内への採光が充分にできる空間を確保し得るものでなければならないが、その採光は、図１（ａ）及び図１（ｂ）に矢印Ａで示す斜め上方からの日光が、バルコニー部２の天井部５先端５ａと欄干７上端との間を通過して、居室部３に入ってくることとなる。このため、図中のバルコニー部２の天井部５直下において、日光の当たらない居室部３寄りの空間が、採光への影響が少ない範囲であるといえる。
【０００６】
ところで、マンション等の集合住宅では、居室部３が手狭であるために、日用品等を収納するスペースが足りずに苦慮していることが多い。これらの収納スペ−スを確保するために、前記バルコニー部２の空間を有効利用したものがあり、例えば、図９に示す収納庫１は、バルコニー部２の床下空間を利用したものである。その収納手法は、バルコニー部２のスラブ床板８の下方に収納庫１を取り付けるとともに、そのスラブの適宜の箇所に開口部９を設けて、バルコニー部２上からその開口部９を介して収納庫１内への収納物を出し入れ可能としたものである。開口部９には、着脱可能な蓋を取り付けて、収納庫１内部にバルコニー部２表面の水が流入しないようにしている（特許文献１、特許文献２参照）。
【０００７】
【特許文献１】
特開平５−１４８８９０号公報（第４頁、第１−２図）
【特許文献２】
実開平１−６２４０２号公報（第１頁、第１図）
【０００８】
【発明が解決しようとする課題】
しかし、上記に示すバルコニー部２の床下収納では、バルコニー部２全体に亘ってスラブ床板下方に収納庫１が取り付けられているので、そのすぐ下のフロアのバルコニー部２の天井高さが全体的に低くなる。このため、住人はその低い天井に圧迫感を受けることになる。一方、上のフロアでその収納庫を使う立場の者は、階下の住人の生活空間を犠牲にしながらその空間を利用することとなるので、住人同士の無用なトラブルの原因ともなりかねない。また、図９に高さｈ２  で示すバルコニー部２先端側天井高さが、収納庫１を取り付けない状態である高さｈ３  に対して低くなることは、居室部３への採光を遮ることとなるので好ましくない。
【０００９】
さらに、スラブ床板８に出し入れ用の開口部９を設けることは、施工上煩雑であるとともに、そのスラブの強度を維持する都合上、大きな開口を設けることができないので、大きな収納物の出し入れは期待できない。また、その開口部９を塞ぐ蓋やパッキン材の劣化により、収納庫１内に水が浸入する可能性がある。この排水の問題を解決するためには、スラブ床板８や梁材４等に各種排水設備を設けなければならず、床板が大型化して施設が複雑になるなど、コスト高である。
【００１０】
そこで、この発明は、バルコニー部のデッドスペースとなっている空間を利用して収納庫を設けるとともに、その収納庫の設置により圧迫感を生じさせず、また居室部への採光を悪くしないようにすることを課題とする。
【００１１】
【課題を解決するための手段】
上記の課題を解決するために、この発明は、集合住宅のバルコニー部又は共用廊下の天井部の下面に上下方向のガイドを取り付け、そのガイドに収納庫を昇降可能に設けるとともに、そのガイドと収納庫の間に、その収納庫が、前記天井部から所定の高さ位置で上下方向に動かないように固定される係止手段を設けたのである。このようにすれば、共用廊下やバルコニーなど天井部のデッドスペースのうち、自分の生活空間を有効に活用して、収納庫を設けることができる。
【００１２】
通常、天井部下面に設けた収納庫は床面から遠いので、脚立等を使用しなければ出し入れしにくいが、これを昇降可能としたので、必要なときに収納庫を下降させれば、楽な姿勢で収納、取出しが可能である。
【００１３】
また、前記収納庫は、前記ガイドによる昇降範囲に対して完全に上昇した状態、及び完全に下降した状態で固定できるものとし、その完全に下降した状態で収納庫が開扉して内部が開放されるようにすれば、収納庫内部に収納品を出し入れする際に、収納庫の昇降が止まるので使いやすい。
【００１４】
【発明の実施の形態】
一実施形態を図１乃至図４に示し、この実施形態の収納庫装置は、マンション等の集合住宅のバルコニー部２の天井部５下面に収納庫１０を昇降可能に取り付けた収納庫装置２０である。
【００１５】
収納庫１０は、図１及び図２に示すように、直方体状の箱からなり、その側面のうち、居室側に面する部分に、内部を開放する扉部１８が設けられている。扉は、図３に示すように、上下に設けた溝に２枚の扉を嵌め込んでその溝を滑らせる引き戸形式になっている。この扉部１８の構造は、前記引き戸に代えて、蝶番により扉を回転可能に取り付けた開き戸形式のものや、収納庫１０内に収めたレールに沿って滑動するシャッタ式の遮断扉などを使用してもよい。ただし、建物の構造によっては、図１（ｂ）に鎖線で示すように、収納庫１０を下降させた状態で、その収納庫１０の居室側側面が居室部３のサッシ６に近接する位置に収納庫装置２０を設置する場合がある。この場合は、開き戸を開扉するスペースが収納庫１０とサッシ６の間になく使いにくいものとなるので、開き戸を採用することは好ましくない。
【００１６】
この収納庫１０の天井部５への取り付け方法は、図３に示すように、前記天井部５に、上下方向に長い板状ガイド１１の一端をアンカーボルト１７により固定する。アンカーボルト１７による固定は、建物のコンクリート打設前の先施工アンカーであってもよいし、打設後の後施工アンカーであってもよい。このガイド１１は、取り付けようとしている収納庫１０の建物外壁面方向両端面が位置する付近に各２本づつ設け、その各ガイド１１を前記収納庫１０の両端に設けた上下方向のガイド溝１６に挿入して、収納庫１０がそのガイド１１に沿って上下方向に昇降可能になるようにする。ガイド１１は、ガイド溝１６内で摺動するようになっているので、収納庫１０は、その昇降中に前後左右に揺れない構造になっている。
【００１７】
この収納庫１０の昇降は、図３に示すように、天井部５又はガイド１１に固定されたモータ１５とそのモータ１５の駆動により回転するねじ軸１３により行われる。図中に示すように、前記ねじ軸１３が、収納庫１０両端に設けられたねじ受部１４に対して、それぞれ上面から下方に向かってねじ込まれており、収納庫１０は、そのねじ受部１４によってねじ軸１３に支持されて、ねじ軸１３の回転ととも上下方向に昇降していく。この両側に設けたねじ軸１３とねじ受部１４を係止手段として、収納庫１０は、ガイド１１に対して天井部５から自由な高さ位置で停止させて、その位置で固定できる。なお、図１及び図２では、モータ１５等の昇降装置の図示を省略している。
【００１８】
モータ１５の作動は、そのモータ１５から引き出されたリード線が、収納庫１０の取手部１９付近に設けたスイッチ（図示せず）に引き込まれて、電源からの供給をうけて、そのスイッチのオン・オフ操作によりモータ１５が作動するようになっている。
【００１９】
この収納庫１０を、ガイド１１に対して完全に下降した状態で止める係止手段として、ガイド１１の下端には、図３及び図４に示すように、収納庫１０側にむかって内側にストッパ１１ａが突設されており、収納庫１０がガイド１１に対して、図３に実線で示す完全に下降した状態で、そのストッパ１１ａが、前記ガイド溝１６内上端にそのストッパ１１ａに対応するように設けたストッパ１６ａに係止して、それ以上収納庫１０が下降しないように固定される。このストッパ１６ａは、前記ガイド溝１６の内外側壁のうち、庫内側の側壁からガイド１１方向に向かって突出して設けられる。
【００２０】
このように、ガイド１１と収納庫１０のガイド溝１６の間に、前記天井部５から所定の高さ位置でそれ以上下方へ動かないように固定される係止手段を設けたので、収納庫１０がガイド１１から外れて床面に落下しないようになっている。
【００２１】
また、この収納庫１０を、ガイド１１に対して完全に上昇した状態で止める係止手段として、ねじ受部１４が上昇してねじ軸１３上端のモータ１５への接続部分に当接するようになっている。図３に鎖線で示すように、ねじ受部１４が、ねじ軸１３上端に到達すると、ねじ受部１４は、モータ１５等に当接して係止され、それ以上上昇しないように固定される。このため、収納庫１０が、所定の位置よりも上がりすぎないようになっている。
【００２２】
この収納庫装置２０は、バルコニー部２において、図１（ａ）及び図１（ｂ）に示すように、収納庫１０の上昇状態で、天井部５直下のできる限り居室部３側に位置するように設けられ、その収納庫１０が居室部３への採光をできる限り遮らないように取り付けられている。このため、その収納庫１０を下降させると、収納庫１０は、図中に示すように、室内から手の届く位置に固定されるので、室内に居ながら収納品が出し入れできて便利である。この収納庫１０への収納品の出し入れは、扉部１８の開扉操作を行うことができる限りにおいて、収納庫１０が自由な高さ位置にある状態ですることができるが、図１に鎖線で示す完全に下降した状態で開扉して内部に収納品を出し入れ可能とすれば、実用上は充分である。また、居室部３側の側面以外に扉部１８を設けることは自由である。
【００２３】
なお、居室部３への採光は、図１（ａ）及び図１（ｂ）に示すように、矢印Ａで示す斜め上方からの日光が、バルコニー部２の天井部５の先端５ａと欄干７上端との間を通過して、居室部３に入ってくることとなる。つまり、この収納庫装置２０を取り付けた天井部５直下において、日光の当たらない居室部３寄りの空間が、採光への影響が少ない範囲であるといえるが、特に大きな収納スペースを求める場合などは、その居室部３から離れる方向の先端寄りにも収納庫装置２０を設けてもよいし、別途扉部１８に施錠手段などを適宜設ければ、共用廊下に設置してもよい。
【００２４】
この実施形態では、収納庫１０は、モータ１５により回転するねじ軸１３と、収納庫１０のねじ受部１４を介して昇降させたが、このねじ軸１３の回転を、例えば手動により行うようにしてもよい。
【００２５】
また、他の実施形態として、天井部５に設ける上下方向のガイドに、例えば、図５及び図６に示すパンタグラフ式のガイド２１を使用してもよい。このとき、上記実施形態の上下ガイド１１は、図示するようにガイド２１と併用すれば収納庫１０の前後左右の揺れやがたつきが少なくなるが、特に求めない場合は、後述するように、その上端、下端位置での係止手段を別途に設けていれば、ガイド１１を省略してもよい。
【００２６】
このパンタグラフ式のガイド２１は、図６に示すように、天井部５に対向する対の吊り金具２２を設け、その金具２２を回転可能に挿通する対の吊下軸２３，２３から、上枠２４、下枠２５の両端をそれぞれピン接続するように連結して、その下枠２５の下端を収納庫１０上面に回転可能に設けた主軸２６に接続する。この菱形状の枠組を２つ並列させ、上枠２４，２４同士、下枠２５同士を適宜の位置で連結棒２４ａ，２５ａにより連結する。菱形状を成す前記パンタグラフの枠組は、それぞれの交点でピン接続されているので、上枠２４、下枠２５は、図５に実線と破線で示すように伸縮して収納庫１０が昇降可能となる。なお、前記ガイド２１の伸縮をスムースにするため、吊下軸２３は、その対の吊下軸２３，２３同士の距離が変化するように、前記吊り金具２２に設けた横方向の長孔を介して取り付けて、その金具２２に対する摺動ピンを構成するようにしてもよい。
【００２７】
下枠２５の連結棒２５ａには、収納庫１０上面の適宜の位置とを繋ぐダンパ２９が設けられ、前記ガイド２１の上下方向の伸縮に対して、図中の矢印Ｄのようにロッドが伸縮して所定の負荷が与えられる。このため、収納庫１０の昇降動作が緩やかになり、収納庫１０が急激に落下することを防いでいる。
【００２８】
また、ガイド２１は、図５に鎖線で示す折り畳んだ状態で、収納庫１０上面に設けた爪部２７が、上枠２４の連結棒２４ａを捕捉して、パンタグラフがその折り畳んだ状態で維持されるように固定する係止手段を構成している。爪部２７は、図中の矢印Ｂで示す右方向、つまり連結棒２４ａを捕捉する側へ、弾性材等で常時押圧されているので、収納庫１０を図５の実線から鎖線へと上昇させた際に、その爪部２７の傾斜した上面が連結棒２４ａにより下方向へ押圧されるとともに、爪部２７は、その弾性力に逆らって図中の矢印Ｃで示す左方向へ一旦押される。その後、その連結棒２４ａが爪部２７の下方へ通過した後は、爪部２７は矢印Ｂで示す右方向へ戻されて連結棒２４ａを上下左右に動かないように捕捉するので、この状態で、収納庫１０は上下方向に動かないように固定される。
【００２９】
収納庫１０を下降させたい時は、この爪部２７と収納庫１０上面の適宜の位置とを連結した解除手段２８により、爪部２７を図中の左方向へ矢印Ｃのように動かして、前記連結棒２４ａの捕捉を開放する。この開放により、収納庫１０は係止が解除され、その後は、取手部１９を引くか、あるいは収納庫１０自体の自重により下降可能になる。この解除手段２８による開放には、周知のシリンダ、電磁弁などが使用できるが、解除手段２８をケーブルで接続してそのケーブルを引くことにより爪部２７を図中の矢印Ｃの方向に可動とすることにより、連結棒２４ａの捕捉を手動で開放できるようにしてもよい。なお、そのケーブルは、取手部１９に導けば便利である。
【００３０】
前記ダンパ２９の設置位置や、前記爪部２７の設置位置、また、それに対応する連結棒２４ａ，２５ａの設置位置は、上記機能を発揮する限りにおいて自由である。
【００３１】
一方、収納庫１０が完全に下降した状態となる場合の係止手段として、特に、ガイド１１を省略する場合などは、前記ガイド１１のストッパ１１ａ等に代えて、パンタグラフ式のガイド２１に係止手段を設けてもよい。この係止手段は、ガイド２１を構成するパンタグラフの枠組の交点ごとのピン接合部において、そのピンを挟む両部材の交角を、所定の角度の範囲内で規制するストッパや、あるいは、ダンパ２９のストロークを所定の長さの範囲内で規制するストッパなどが考えられる。
【００３２】
さらに、他の実施形態として、図７及び図８に示すように、Ｘ型パンタグラフ状のガイド３１を使用した構成も考えられる。この構成では、収納庫１０が上昇した状態で、図７の鎖線に示す状態となり、下降した状態で実線に示す状態となる。ガイド３１を構成する枠材３４，３５の一端が、天井部５に固定された吊り金具３２にピン３４ａ，３５ａを介して接続され、その枠材３４，３５の他端は、さらに別の枠材３７，３６の一端にピン接続されている。この各枠材３４，３５及び３７，３６がそれぞれ交差するように接続していき、下端の枠材３７，３６の他端を収納庫１０の上面にピン３６ａ、３７ａを介して接続する。
【００３３】
上方に位置する一方の枠材３５は、吊り金具３２に対して摺動するよう、そのピン孔が図示するようにくの字型を成す長孔３３となっている。また、下方の一方の枠材３６の他端は、収納庫１０に対して長孔３８内を摺動するようになっている。このため、収納庫１０が上昇した図７の鎖線の状態では、ピン３５ａは、長孔３３の外側の屈曲した端部３３ａに嵌まって、それ以上内側には動かないので、収納庫１０は前記上昇状態で係止される。収納庫１０を下降させる際には、収納庫１０を若干持ち上げることにより、ピン３５ａが端部３３ａから開放され、くの字型の長孔３３屈曲部を通過して、図８に示す矢印Ｅのように、内側の端部３３ｂに至る。ピン３５ａはこれ以上内側には進まないので、収納庫１０は、この位置で係止されて、これ以上下方へは下降しないようになっている。なお、前記枠材３４，３５間には図示するように、ダンパ３９が連結されているので、収納庫１０の昇降は緩やかである。また、必要に応じて、図中の上下方向のガイド４１を併用すれば、外壁面に沿ってスムースに昇降可能である。
【００３４】
また、そのほか、収納庫装置２０の天井部５への取り付け方法は、収納庫１０を上下方向に誘導するガイドが、その収納庫１０の側面を外側から覆うようなものであってもよい。例えば、収納庫１０側面に設けた突部あるいは、側面から突出させて回転可能に設けたローラ等を、前記収納庫１０の両側側面に沿うように天井部５に取り付けたガイドに嵌める手法が考えられる。そのガイドには、前記突部あるいはローラに対応する上下方向の溝部が設けられており、その溝部に前記突部、あるいは前記ローラを嵌めて、そのガイドの溝部に沿って収納庫１０を摺動可能に支持すればよい。
【００３５】
また、その昇降装置は、上記実施形態に限定されるものではなく、例えば、チェーン駆動、ワイヤ駆動、カウンタウェイトの使用、あるいはガイドにラックを設けて収納庫１０がそのラックに噛み合って昇降するラック駆動など自由に選択することができる。また、その係止手段も上記実施形態に限定されず、周知の自由な係止手段を採用し得る。
【００３６】
なお、図１（ａ）に示すように、バルコニー部２の居室側に梁材４が突出して設けられている場合には、前記ガイドを梁材４の側面、あるいは下面に設けるようにしてもよい。また、収納庫１０が完全に上昇した状態で、その収納庫１０上面と天井部５との間に隙間ができるので、この隙間を外部から見えないようにするカバーを収納庫１０の上面外周に沿って突出するように取り付けてもよい。この収納庫装置２０は、ＲＣ構造、ＳＲＣ構造等のマンション以外にも、例えば、軽量鉄骨構造や木造の集合住宅であって、そのバルコニー部に張り出した天井部を有する限りにおいて、使用可能である。
【００３７】
【発明の効果】
この発明は、以上のように、バルコニー部上方のデッドスペースとなっている空間を利用して収納庫装置を取り付けたので、圧迫感を生じさせず、また居室部への採光を悪くしないように収納庫を設けることができる。
【図面の簡単な説明】
【図１】一実施形態の断面図で、（ａ）はバルコニー部の居室側に梁がある場合、（ｂ）はバルコニー部の先端側に梁がある場合を示す
【図２】図１（ａ）の背面図
【図３】一実施形態の収納庫装置の正面図
【図４】図３の昇降機構を示す斜視図
【図５】他の実施形態の収納庫装置の（ａ）正面図、（ｂ）側面図
【図６】図５の昇降機構を示す斜視図
【図７】他の実施形態の収納庫装置の側面図
【図８】図７の昇降機構を示す斜視図
【図９】従来例の断面図
【符号の説明】
１，１０  収納庫
２  バルコニー部
３  居室部
４  梁材
５  天井部
５ａ  先端
６  サッシ
７  欄干
８  スラブ床板
９  開口部
１１，２１，３１，４１  ガイド
１１ａ，１６ａ  ストッパ
１３  ねじ軸
１４  ねじ受部
１５  モータ
１６  ガイド溝
１７  アンカーボルト
１８  収納庫扉部
１９  取手部
２０  収納庫装置
２２，３２  吊り金具
２３  吊下軸
２４  上枠
２４ａ，２５ａ  連結棒
２５  下枠
２６  主軸
２７  爪部
２８  解除手段
２９，３９  ダンパ
３３，３８  長孔
３４，３５，３６，３７  枠材
【図１】
2005027746.tif 000003
【図２】
2005027746.tif 000004
【図３】
2005027746.tif 000005
【図４】
2005027746.tif 000006
【図５】
2005027746.tif 000007
【図６】
2005027746.tif 000008
【図７】
2005027746.tif 000009
【図８】
2005027746.tif 000010
【図９】
2005027746.tif 000011